(57)【要約】【課題】暗い場所に設置されたパネル計器の筐体の前面に配置された物理量測定手段の目盛の読み取りを容易にした照明付き計器を提供する。【解決手段】被測定体の物理量を測定し、その物理量を表示する目盛を備えた物理量測定手段と、この物理量測定手段の近傍に配置され前記目盛を照射する照明手段を備えた照明付き計器において、前記物理量測定手段の目盛と照明手段の間に前記照明手段からの直接光を遮断する閾板を設けた。【選択図】      図１
2010122105.tif 000002
【特許請求の範囲】
【請求項１】
被測定体の物理量を測定し、その物理量を表示する目盛を備えた物理量測定手段と、この物理量測定手段の近傍に配置され前記目盛を照射する照明手段を備えた照明付き計器において、前記物理量測定手段の目盛と照明手段の間に前記照明手段からの直接光を遮断する閾板を設けたことを特徴とする照明付き計器。
【請求項２】
前記物理量測定手段の側面に前記照明手段からの直接光を反射する反射板を設けたことを特徴とする請求項１に記載の照明付き計器。
【請求項３】
前記反射板および閾板の物理量測定手段に対向する面を白色としたことを特徴とする請求項１または２に記載の照明付き計器。
【請求項４】
前記物理量測定手段、照明手段、反射板および閾板はパネル計器の筐体の前面に配置されたことを特徴とする請求項１乃至３のいずれかに記載の照明付き計器。
【請求項５】
前記物理量測定手段は面積式流量計であることを特徴とする請求項１乃至４のいずれかに記載の照明付き計器。
【発明の詳細な説明】
【技術分野】
【０００１】
本発明は、照明付き計器に関し、例えばパネル計器の筐体の前面に配置された物理量測定手段の目盛の読み取りを容易にした照明付き計器に関するものである。
【背景技術】
【０００２】
例えば煙道を流れる気体中のガス成分を測定する場合、必要量のガスをサンプリングして測定するが、ガス成分を正確に測定するためにはサンプリングガスの流量を設定する必要がある。
【０００３】
図４はガス流量の表示のみに注目し、ＬＥＤで流量を表示したガスセンサの従来例の一つを示すもので、フローセンサ１からの流量信号をＣＰＵ２に取り入れて所定の演算を施し、ＬＥＤを用いた表示部３に表示したものである。なお、測定ガス成分の濃度表示は７セグメントのＬＥＤ等で別表示（図示省略）される。
【０００４】
このようなＬＥＤを用いた表示方式は暗所や、室内の暗い場所に機器を設置する場合、ＬＥＤの表示を読みとりやすいという利点がある。
【０００５】
照明付き計器の先行技術しては下記の特許文献が知られている。
【特許文献１】特開２００４−２８９４１０
【発明の開示】
【発明が解決しようとする課題】
【０００６】
ところで、このようなガスセンサは、ＬＥＤ電源とＣＰＵの電源が一体となっているため機器を立ち上げなければ（電源をオンにしなければ）流量値を設定することができないという問題があった。
また、ＬＥＤを用いた流量表示は、ＬＥＤの数により決められるため、精度的にあまり高いものではなかった。
したがって本発明は暗い場所に設置されたパネル計器の筐体の前面に配置された物理量測定手段の目盛の読み取りを容易にした照明付き計器を提供することを目的としている。
【課題を解決するための手段】
【０００７】
本発明は上記問題点を解決するためになされたもので、請求項１記載の照明付き計器の発明においては、
被測定体の物理量を測定し、その物理量を表示する目盛を備えた物理量測定手段と、この物理量測定手段の近傍に配置され前記目盛を照射する照明手段を備えた照明付き計器において、前記物理量測定手段の目盛と照明手段の間に前記照明手段からの直接光を遮断する閾板を設けたことを特徴とする。
【０００８】
請求項２においては、請求項１記載の照明付き計器の発明において、
前記物理量測定手段の側面に前記照明手段からの直接光を反射する反射板を設けたことを特徴とする。
請求項３においては、請求項１または２に記載の照明付き計器の発明において、
前記反射板および閾板の物理量測定手段に対向する面を白色としたことを特徴とする。
請求項４においては、請求項１乃至３のいずれかにに記載の照明付き計器の発明において、
前記物理量測定手段、照明手段、反射板および閾板はパネル計器の筐体の前面に配置されたことを特徴とする。
請求項５においては、請求項１乃至４のいずれかに記載の照明付き計器の発明において、
前記物理量測定手段は面積式流量計であることを特徴とする。
【発明の効果】
【０００９】
以上説明したことから明らかなように本発明の請求項１によれば、次のような効果がある。
被測定体の物理量を測定し、その物理量を表示する目盛を備えた物理量測定手段と、この物理量測定手段の近傍に配置され目盛を照射する照明手段を備えた照明付き計器において、物理量測定手段の目盛と照明手段の間に照明手段からの直接光を遮断する閾板を設けたので、ＬＥＤからの光が透明体で反射することによる読みずらさを軽減することができる。
【００１０】
請求項２によれば、請求項１に記載の照明付き計器において、
物理量測定手段の側面に照明手段からの直接光を反射する反射板を設けたので、光量が増加し読み取りが容易である。
【００１１】
請求項３によれば、請求項１または２に記載の照明付き計器において、
反射板および閾板の物理量測定手段に対向する面を白色としたので、光量が増加し読み取りが容易である。
【００１２】
請求項４によれば、請求項１乃至３のいずれかに記載の照明付き計器において、
物理量測定手段、照明手段、反射板および閾板はパネル計器の筐体のに配置されているので、読み取りが容易である。
【００１３】
請求項５によれば、請求項１乃至４のいずれかに記載の照明付き計器において、
物理量測定手段は面積式流量計としたので、正確な流量測定が可能である。
【発明を実施するための最良の形態】
【００１４】
図１（ａ〜ｃ）および図２は本発明の実施形態の一例を示すもので、ガス濃度を測定する照明付き計器の構成図である。
図１において、（ａ）は正面図、（ｂ）は左側面から見た図、（ｃ）は右側面から見た図であり、図２は右側面から見た図の拡大図である。これらの図において、矩形状のプリント基板５には向かって左側に長方形の凸部６が形成されており、この凸部の端部付近に添って光源としての複数（図では７個が見える）のＬＥＤ８が配置されている。
【００１５】
プリント基板５の上方にはガス濃度や他の数値を表示するための４個の７セグメント９が上下２段に取り付けられている。
凸部６の側面に沿って所定の長さを有する支持部材１０が配置されており、この支持部材の底部はプリント基板５の表面と略面一とされている。支持部材１０には長手方向に透明体（ガラスやアクリル樹脂等で形成されたテーパ管）が配置され、透明体の外周には流量を示す目盛（図示省略）が刻まれている。
【００１６】
フローセンサ（面積式流量計）１１のテーパ管は図１（ｂ）に示すように鉛直に配置され、流入口Ａから流入したサンプルガスがテーパ管中を遡って流出口Ｂから流出するが、サンプルガスの流量に関連してテーパ管中に配置されたフロートが上下し、そのフロートの位置で流量を測定する。
【００１７】
ところで、パネル計器の筐体に内蔵されるプリント基板の大きさは例えば縦１０×横１０×厚さ1ｍｍ程度であり、この基板に取り付けるフローセンサのテーパ管の長さは３０ｍｍ、直径は３ｍｍ程度である。そのため、暗い場所ではフロートの位置や目盛が読みにくい。
本実施例ではフロートの位置や目盛を読みやすくするためにプリント基板の凸部の端部（テーパ管に近い位置）に添って複数のＬＥＤを配置している。
【００１８】
しかし、この状態ではＬＥＤ８からの直接光がテーパ管で反射してフロートの位置や目盛が読みにくい。閾板１２（図２参照）はＬＥＤとテーパ管１１の間に設けられたもので、その高さと位置はテーパ管１１がＬＥＤ８からの直接光イに当たらない程度とされている。閾板１２で遮られなかったＬＥＤからの光は反射板１４で反射して間接光ロとしてテーパ管を照射する。
【００１９】
閾板１２で遮られなかったＬＥＤからの光は反射板１４で反射して間接光ロとしてテーパ管を照射する。
また、反射板および閾板のテーパ管に対向する面には白色塗量が塗布されており、テーパ管をより明るく照らすようになっている。
【００２０】
図３はＬＥＤを点灯するための回路を示すもので、ＬＥＤ８と抵抗１４が直列接続されたものを図示の例では８列並列に接続し、一端に計器の共通電源としての＋５Ｖの電圧を印加し他端をグランド接続した状態を示している。なお、照明用ＬＥＤとしては黄緑色を用いている。
【００２１】
上述の構成によれば、テーパ管を挟んで閾板と反射板を設けテーパ管に直接光が当たらないようにしたため、例えば暗い場所に設置されたパネル計器の筐体の前面に配置されたテーパ管（物理量測定手段）の目盛の読み取りを容易に行うことができる。
【００２２】
なお、以上の説明は、本発明の説明および例示を目的として特定の好適な実施例を示したに過ぎない。実施例では物理量測定手段として面積式流量計を適用した例を示したが同様に読み取りが困難な他の機器に適用しても良い。また、実施例ではテーパ管に対向する面に白色塗量を塗布したが、明るい塗料であれば他の色であってもよい。
従って本発明は、上記実施例に限定されることなく、その本質から逸脱しない範囲で更に多くの変更、変形を含むものである。
【図面の簡単な説明】
【００２３】
【図１】本発明の一実施例を示す照明付き計器の構成を示す図である。
【図２】図１に示す照明付き計器の拡大図である。
【図３】ＬＥＤの回路構成を示す図である。
【図４】従来の照明付き計器の構成を示す図である。
【符号の説明】
【００２４】
１      フローセンサ
２      ＣＰＵ
３，８  ＬＥＤ
４      表示部
５      プリント基板
６      凸部
９      ７セグメント
１０    支持部材
１１    面積式流量計（テーパ管）
１２    閾板
１３    反射板
１４    抵抗
イ      直接光
ロ      間接光
【図３】
2010122105.tif 000003
【図１】
2010122105.tif 000004
【図２】
2010122105.tif 000005
【図４】
2010122105.tif 000006